(57)【要約】【課題】正しいスタンスを実現するためのゴルフ用機器を提供する。【解決手段】ゴルフ用機器１００は、筐体１１０と、筐体１１０が水平であることを確認するための水準器１２０と、目標方向を記憶する指示を与えるための記憶指示部１３０と、筐体１１０の方向を計測する方向計測部１４０と、記憶指示部１３０から指示された時点における方向計測部１４０で計測された方向を目標方向として記憶する方向記憶部１５０と、筐体１１０の姿勢にかかわらず方向記憶部１４０に記憶された目標方向を表示する表示部１６０と、を備える。方向計測部１４０で計測された方向を目標方向として記憶し、筐体１１０の姿勢にかかわらず表示部１６０に目標方向を表示し続けることで、ゴルファーが目標方向に対して垂直な方向に体を向けることを補助することができる。このようにして、目標方向に対して、正しいスタンスを実現できる。【選択図】図２
2017038667.tif 000002
【特許請求の範囲】
【請求項１】
筐体と、
目標方向を記憶する指示を与えるための記憶指示部と、
前記筐体の方向を計測する方向計測部と、
前記記憶指示部から指示された時点における前記方向計測部で計測された方向を目標方向として記憶する方向記憶部と、
前記筐体の姿勢にかかわらず前記方向記憶部に記憶された目標方向を表示する表示部と、
を備えたことを特徴とする、ゴルフ用機器。
【請求項２】
前記筐体に、腕に着脱するための着脱手段を設けたことを特徴とする、請求項１に記載のゴルフ用機器。
【請求項３】
前記表示部には、前記方向記憶部に記憶された目標方向に対して垂直方向であるスタンス方向が表示され、
前記スタンス方向の表示は、前記目標方向が記憶された後は、表示が変わらないことを特徴とする、請求項１または２に記載のゴルフ用機器。
【請求項４】
前記表示部は、前記目標方向と前記スタンス方向との間の部分を、強調表示することを特徴とする、請求項３に記載のゴルフ用機器。
【請求項５】
前記方向計測部は、電子コンパスを含むことを特徴とする、請求項１〜４のいずれかに記載のゴルフ用機器。
【請求項６】
前記表示部には、グリーン又はコースに関する情報が表示されることを特徴とする、請求項１〜５のいずれかに記載のゴルフ用機器。
【発明の詳細な説明】
【技術分野】
【０００１】
本発明は、ゴルフに有用な機能を備えたゴルフ用機器に関する。
【背景技術】
【０００２】
近年ではいわゆるスポーツウォッチに代表されるように、腕時計にさまざま機能を付与することが行われている。スポーツウォッチの一種として、ゴルフに有用な機能を有したゴルフ用時計も知られている（例えば、特許文献１参照。）。
【先行技術文献】
【特許文献】
【０００３】
【特許文献１】特開２００２−１５３３８６号公報
【発明の概要】
【発明が解決しようとする課題】
【０００４】
しかし、従来のゴルフ用時計は、グリーンやコースなどの情報が何らかの形で記録保持されており、その情報を単にゴルファーに示すものに過ぎなかった。近年のゴルフブームにより、初心者から上級者まで、さらなる機能の追加や、具体的なアシストをしてくれるゴルフ用機器の出現が希求されていた。
【０００５】
そこで本発明は、このような問題に鑑みてなされたものであり、その目的とするところは、これまでにない新たな機能を追加したゴルフ用機器を提供することにある。
【課題を解決するための手段】
【０００６】
上記課題を解決するために、本発明によれば、筐体（１１０）と、目標方向を記憶する指示を与えるための記憶指示部（１３０）と、前記筐体の方向を計測する方向計測部（１４０）と、前記記憶指示部から指示された時点における前記方向計測部で計測された方向を目標方向として記憶する方向記憶部（１５０）と、前記筐体の姿勢にかかわらず前記方向記憶部に記憶された目標方向を表示する表示部（１６０）と、を備えたことを特徴とする、ゴルフ用機器（１００）が提供される。なお、上記の括弧付き符号は、後述する実施形態に対応するものを便宜上付与したものであるが、本発明がこれに限定されるものではない。
【０００７】
かかる構成によれば、正しいスタンスを補助することができる。すなわち、方向計測部で計測された方向を目標方向として記憶し、筐体の姿勢にかかわらず表示部に目標方向を表示し続けることで、ゴルファーが目標方向に対して垂直な方向に体を向けることを補助することができる。このようにして、目標方向に対して、正しいスタンスを実現できる。
【０００８】
本発明は、さまざまな応用が可能である。例えば、前記筐体に、腕に着脱するための着脱手段を設けてもよい。かかる構成によれば、ゴルフ用機器を腕に着けることができるので、プレー中に装置を取り出す手間を省くことができるとともに、操作も簡便になる。また、ゴルフ用機器を胸部に当てることが容易で、ゴルフ用機器を水平に保ちやすい。かかる構成は一種の腕時計型であると言えるが、本発明は、単に腕時計にゴルフのための機能を追加したものではない。すなわち本発明のゴルフ用機器は、必ずしも時計の機能は有していなくてもよい。また、本発明のゴルフ用機器を腕時計と併用することも可能である。
【０００９】
また、前記表示部には、前記方向記憶部に記憶された目標方向に対して垂直方向であるスタンス方向（スタンス基準線）が表示され、前記スタンス方向の表示は、前記目標方向が記憶された後は、表示が変わらないようにしてもよい。表示部にスタンス方向を表示することで、容易にスタンス方向を確認することができる。
【００１０】
さらに、前記表示部は、前記目標方向と前記スタンス方向との間の部分（角度の狭い側の部分、誤差角度）を、強調表示するようにしてもよい。目標方向とスタンス方向との間の部分を、それ以外の部分と異なる表示（例えば、明るさを変えて表示）にすることで、一層容易にスタンス方向を確認することが可能である。
【００１１】
また、前記方向計測部は、電子コンパスを含むようにしてもよい。電子コンパスであれば、容易に方向計測を行うことが可能である。なお、水準器と方向計測部を一つの電子コンパスなどで兼用するようにしてもよい。
【００１２】
前記表示部には、（前記目標方向の表示とともに）グリーン又はコースに関する情報が表示されるようにしてもよい。目標方向のグリーンが障害物で隠れて見えない場合など、目標の設定がしづらい場合がある。そのようなときに、表示部にグリーンやコースに関する情報を表示させることで、目標方向の設定が容易になる。
【００１３】
上記本発明の応用例は、任意に組み合わせることが可能である。
【発明の効果】
【００１４】
本発明のゴルフ用機器によれば、これまでにない新たな機能として、正しいスタンスを補助することができる。本発明のその他の効果については、以下の発明を実施するための形態の項でも説明する。
【図面の簡単な説明】
【００１５】
【図１】第１の実施形態にかかるゴルフ用機器１００を概略的に示す図である。
【図２】ゴルフ用機器１００の機能を概略的に示すブロック図である。
【図３】目標方向を設定した際の表示部１６０の表示を示す図である。
【図４】スタンスチェックをする際の表示部１６０の表示を示す図である。
【図５】スタンスチェック動作の途中で６０°回転した状態を示す図である。
【図６】スタンスチェック動作が完了した状態を示す図である。
【図７】第２の実施形態にかかるゴルフ用機器２００を概略的に示す図である。
【図８】グリーン又はコースに関する情報が表示された状態を示す図である。
【発明を実施するための形態】
【００１６】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１７】
（ゴルフのスタンスについて）
まず、以下の実施形態の前提となるゴルフのスタンスについて説明する。
ゴルフでは、ショットしようとしている目標の方向に並行して正しく向くこと（スタンス）が重要である。スタンス方向は両足の親指を結ぶ線であるが、それと平行な胸の方向でもある。しかしながら、多くの初心者ゴルファーは、周りの景色や状況に惑わされて、目標に対し正しくスタンスすることが難しい。スタンスを正しく取るために従来多く取られている方法は、目標とショット地点を結ぶ線上で、近くに目標物を見つけ、それを基準に感覚でスタンスする方法である。ゴルフの練習場では、スタンス方向に細い棒を置いて、その棒に沿ってスタンスする方法もある。
【００１８】
本実施形態では、目標方向に合わせるための目標線、目標方向を記憶する機能と、記憶した方向を表示器に表示する機能などから構成されるゴルフ用機器を用いて、表示された目標方向と胸が平行になるようにスタンスすることで、簡便にかつ正確にスタンスを確認する方法について説明する。
【００１９】
（第１の実施形態）
第１の実施形態にかかるゴルフ用機器１００の構成について説明する。図１は、本実施形態にかかるゴルフ用機器１００の構成を概略的に示す図である。図２は、図１のゴルフ用機器１００の機能部を概略的に示すブロック図である。なお、図１及び図２には、本実施形態の説明に必要なもののみを示しており、これ以外の要素を排除するものではない。
【００２０】
ゴルフ用機器１００は、図１、図２に示したように、筐体１１０と、筐体１１０が水平であることを確認するための水準器１２０と、目標方向を記憶する指示を与えるための記憶指示部１３０と、筐体１１０の方向を計測する方向計測部１４０と、記憶指示部１３０から指示された時点で方向計測部１４０で計測された方向を目標方向として記憶する方向記憶部１５０と、筐体１１０の姿勢にかかわらず方向記憶部１５０に記憶された目標方向を表示する表示部１６０と、全体の制御処理を行う制御処理部１７０と、を備えたことを特徴とする。
【００２１】
以下、ゴルフ用機器１００の構成要素について順に説明する。なお、以下の説明では、ゴルフ用機器１００を使用する者のことをゴルファーという。
【００２２】
（筺体１１０）
筐体１１０は、ゴルフ用機器１００の外形を成すものであり、図１に示した一例では、直方体形状からなる。筐体１１０のサイズは任意であるが、ゴルフをプレーするときの携帯の便宜から、ゴルファーの手のひらに収められるサイズとして、例えば縦５ｃｍ、横３ｃｍ、厚み１ｃｍ程度とすることができる。筐体１１０の素材は、軽さなどを優先してプラスチックなどにしてもよく、また、質感や強度などを重視して金属などにしてもよい。
【００２３】
筐体１１０には、図１に示したように、目標方向に合わせるための目標方向マークＴが表示される。ゴルファーは、ゴルフボールを飛ばす目標方向にこの目標方向マークＴを向ける。目標方向マークＴは、このような目的のため、固定的な表示であり、消えたり変化したりするようなものではない。目標方向マークＴは、筐体１１０上に印刷してもよく、刻印のようなものであってもよい。
【００２４】
図１には示していないが、筐体１１０にチェーンやリングを付けてキーホルダーのようにすることで、ゴルファーの携帯の便宜を図ってもよい。
【００２５】
（水準器１２０）
水準器１２０は、筐体１１０が水平であることを確認するための機能を有する。水準器１２０は、例えばデジタルカメラ等に内蔵される電子水準器を用いることができる。水準器１２０による測定結果は、後述するように、制御処理部１７０の制御によって、表示部１６０に水準マークＬとして表示される（図１）。ゴルファーは、スタンスチェック動作の際に、この水準マークＬを見ながら、筐体１１０が水平であることを確認することができる。
【００２６】
（記憶指示部１３０）
記憶指示部１３０は、ゴルファーによって目標方向を記憶する指示を与えるためのものであり、図１に示した一例では、筐体１１０の上方の右側部に、ボタン形状で設けられている。ゴルファーは、筺体１１０が水平であり、かつ筺体１１０が目標方向を向いたときに、この記憶指示部１３０を押す。これにより、現在の筐体１１０の方向が、後述する方向記憶部１５０に記憶される。
【００２７】
記憶指示部１３０の位置は、ゴルファーが押しやすい位置に設けることが好ましい。例えば、右利き用と左利き用に応じて、筐体１１０の上方の左側部に設けたり、上方の左側部及び右側部に設けてもよい。また、記憶指示部１３０は、筐体１１０の複数箇所に設けてもよい。なお、この記憶指示を行う動作は、記憶指示部１３０を押す代わりに、声（音声）で指示するようにしてもよい。
【００２８】
なお、記憶指示部１３０は、目標方向の設定動作の開始など、各種操作に利用するようにしてもよい。また、図１には、ゴルフ用機器１００を操作するものとして記憶指示部１３０のみを示しているが、そのほかにも、例えばメニューボタンなど各種の操作部を設けてもよい。記憶指示部１３０を含むこのような操作部は、筐体１１０の外部にボタン形状で設けてもよく、あるいは、後述する操作部１６０にタッチパネルとして設けてもよい。
【００２９】
（方向計測部１４０）
方向計測部１４０は、筐体１１０が現在向いている方向を計測する機能部である。このような方向計測部１４０は、電子コンパスで構成することができる。電子コンパスは、磁気センサーで微弱な地磁気を検出して方位を割り出す機能を有する。電子コンパスは、アウトドア用の腕時計やカーナビ、スマートフォンなどに搭載されており、ＧＰＳと組み合わせることによって、自分の位置と向いている方角を地図上に表示したり、進行方向に合わせて地図の向きを変えるなどの機能を実現できる。ただし、方向計測部１４０は、方向を計測できる手段であれば、電子コンパスに限定されず他の手段であってもよい。
【００３０】
図１に示した例では、水準器１２０と方向計測部１４０を異なる機能部として示しているが、装置としては一つのものであってもよい。図２に示した構成要素間の接続線は、一例に過ぎず、接続されていない構成要素間で信号や情報の伝達をしたり、あるいは、接続されている構成要素間で信号や情報の伝達をしなくてもよい。
【００３１】
（方向記憶部１５０）
方向記憶部１５０は、上述した記憶指示部１３０から指示された時点で方向計測部１４０で計測された方向を、目標方向として記憶する機能部である。ゴルフボールを飛ばす目標方向（Ｄ１）については、図３を参照しながらさらに後述する。
【００３２】
方向記憶部１５０は、ゴルフのプレイ中の一時的な情報を記憶するものであることから、比較的安価な揮発性メモリを使うこともできる。このようにして、ゴルフ用機器１００のコスト削減を図ることができる。あるいは、ゴルファーの履歴を長期間保存するために、方向記憶部１５０として、不揮発性メモリを用いてもよい。なお、外部機器やネットワークと通信を行って、外部機器やクラウド上のストレージに、計測された方向を保存してもよい。
【００３３】
（表示部１６０）
表示部１６０は、各種情報を表示する機能を有する。本実施形態に特徴的な表示として、表示部１６０は、筐体１１０の姿勢にかかわらず、方向記憶部１５０に記憶された目標方向Ｄ１を表示する。また、表示部１６０には、上述したように、水準マークＬが表示される。表示部１６０の表示内容と、それを利用したスタンスチェック動作については、さらに後述する。
【００３４】
表示部１６０には、目標方向Ｄ１の表示とともに、グリーン又はコースに関する情報が表示されるようにしてもよい。目標方向のグリーンが障害物で隠れて見えない場合など、目標の設定がしづらい場合がある。そのようなときに、表示部にグリーンやコースに関する情報を表示させることで、目標方向Ｄ１の設定が容易になる。
【００３５】
（制御処理部１７０）
制御処理部１７０は、ゴルフ用機器１００の全体的な制御処理を行う。制御処理部１７０の制御処理は、任意のプログラミング言語等を用いて設計することができ、ゴルフ用機器１００の内部に電子回路として設けることができる。
【００３６】
以上、本実施形態のゴルフ用機器１００の構成について説明した。なお、一般的な電子機器の設けられる構成、例えば電源やバックライトなどについては、任意に設計可能である。
【００３７】
次に、主に図３〜図６を参照しながら、ゴルフ用機器１００を利用したスタンスチェック動作について説明する。
【００３８】
（コンパス較正）
ゴルフ用機器１００は電子コンパスを使用しているので、適時コンパスの較正を行う。コンパス較正は、どの段階で行っても構わない。コンパス較正動作としては、ゴルフ用機器１００を８の字を描くように動かし続ける。肩幅くらいの大きさで８の字を描き、１周のスピードが２秒くらいを目安として、３〜５周動かす。
【００３９】
なお、ゴルフ用機器１００にメニューを選択できるボタンなどがあれば、メニューからコンパス較正を選択するようにしてもよい。表示部１６０には、以上のコンパス較正動作をアシストするための表示をするようにしてもよい。
【００４０】
（スタンスチェック動作）
表示部１６０には、スタンスチェック動作を行わないときには、節電のために何も表示をしないようにしてもよく、あるいは任意の表示、例えば、コースやグリーンに関する各種情報や、時刻の表示や、風向き等の表示や、方向や位置の表示や、歩数計の表示などをしていてもよい。そして、必要時には、ゴルファーからの操作により、以下のようなスタンスチェック動作を行う。
【００４１】
まず、目標方向の設定を行う。図３に示したように、表示部１６０に、「目標線を目標方向に向けてください」のように表示される。ゴルファーは、水準マークＬによって、筐体１１０が水平であることを確認する。そして、図３に示したように、筐体１１０の水平を保ったまま、目標方向マークＴを、目標方向Ｄ１に向ける。このとき、筐体１１０の手前の面を、ゴルファーの胸部に付けると、筐体１１０を動かさずに支持することが容易である。なお、目標方向Ｄ１とは、必ずしもグリーンの方向とは限らない。コースの形態や、ゴルファーのスキルによっては、何打かに分けてグリーンを目指す場合がある。本実施形態のゴルフ用機器１００によれば、所望の目標方向Ｄ１をゴルファー自身が決定することができる。
【００４２】
この状態で、ゴルファーは、水準マークＬを確認しながら、筐体１１０が水平の状態で、記憶指示部１３０を押す。これによって、図４に示したように、ゴルフ用機器１００に目標方向Ｄ１が設定されるとともに、その目標方向の垂直方向である、スタンス方向Ｄ２が表示部１６０に表示される。
【００４３】
表示部１６０は、筐体１１０の姿勢にかかわらず、方向記憶部１５０に記憶された目標方向Ｄ１を表示し続ける。このため、筐体１１０の方向が変わると、目標方向Ｄ１については、表示の方向が変わる。一方、スタンス方向Ｄ２は、記憶指示部１３０が押されて目標方向Ｄ１が記憶された後は、表示が変わらず、筺体１１０の一定方向を示す。
【００４４】
表示部１６０は、図４に示した一例では、目標方向Ｄ１とスタンス方向Ｄ２との間の部分（誤差角度）を、強調表示する。図４に示した一例では、目標方向Ｄ１とスタンス方向Ｄ２との間の部分を、それ以外の部分と異なる表示として、明るさを変えて表示している。このようにして、ゴルファーのスタンス動作を補助することが可能である。
【００４５】
目標方向Ｄ１の設定が終わると、ゴルファーは、表示部１６０の表示を見ながら、目標方向Ｄ１とスタンス方向Ｄ２とが実質的に重なるように、ゴルファーの体と筐体１１０の方向を同時に変える。表示部１６０は、筐体１１０の姿勢にかかわらず、方向記憶部１５０に記憶された目標方向Ｄ１を表示し続ける。目標方向Ｄ１の表示が、スタンス方向Ｄ２の表示に重なるように、ゴルファーの体と筐体１１０をともに動かす。
【００４６】
図５は、スタンスチェック動作の途中の状態として、ゴルファーが図４の状態から６０°ほど時計回りに回転した状態を示している。図中の足はゴルファーの立ち位置を示し、足に付随する矢印はスタンス方向を示す。このとき、筐体１１０も時計回りに６０°ほど角度が変わる。目標方向Ｄ１は常に同じ方向を向き、スタンス方向Ｄ２は時計方向に６０°ほど角度が変わる。ゴルファーにとっては、表示部１６０の動きは、目標方向Ｄ１がスタンス方向Ｄ２に向かって動いているように見える。
【００４７】
さらにゴルファーは、目標方向Ｄ１とスタンス方向Ｄ２とが重なる位置まで回転する。図６は、スタンスチェック動作が完了した状態として、ゴルファーが図４の状態から９０°ほど時計回りに回転した状態を示している。このとき、筐体１１０も時計回りに９０°ほど角度が変わっている。
【００４８】
このような動作によって、ゴルファーの体の方向を、目標方向Ｄ１に対して垂直の方向、すなわちスタンス方向Ｄ２に向けることができる。以上のようにして、ゴルファーは、ゴルフ用機器１００を用いて、最適なスタンスチェックが実現できる。なお、目標方向Ｄ１とスタンス方向Ｄ２が一致したとき、あるいは所定誤差範囲に入ったときに、ゴルフ用機器１００は、その旨を表示部１６０に表示したり、音声等でゴルファーに知らせるようにしてもよい。
【００４９】
なお、上記スタンスチェック動作の説明（図４〜図６）は、右利きのゴルファー用を想定したものであるが、左利きのゴルファー用として、表示部１６０の表示内容が左右反転したゴルフ用機器を用いることにより、同様のスタンスチェック動作を行うことができる。一つのゴルフ用機器で、左利き用と右利き用とを切り替えられるようにしてもよい。
【００５０】
（第１の実施形態の効果）
以上説明したように、本実施形態によれば、方向計測部１４０で計測された方向を目標方向Ｄ１として記憶し、筐体１１０の姿勢にかかわらず表示部１６０に目標方向Ｄ１を表示し続けることで、ゴルファーが目標方向に対して垂直な方向に体を向けることを補助することができる。特に、表示部１６０にスタンス方向Ｄ２を表示することで、容易にスタンス方向を確認することができる。このようにして、目標方向に対して、正しいスタンスを実現できる。感覚に頼らず、簡便に正しくスタンス方向を確認することが実現でき、ゴルファーのスコアの向上に貢献できる。
【００５１】
また、表示部１６０に、方向記憶部１５０に記憶された目標方向Ｄ１に対して垂直方向であるスタンス方向Ｄ２が表示されるようにしたので、容易にスタンス方向Ｄ２を確認することができる。
【００５２】
さらに、表示部１６０は、目標方向Ｄ１とスタンス方向Ｄ２との間の部分（角度の狭い側の部分）を、明るさを変えて強調表示することで、一層容易にスタンス方向Ｄ２を確認することができる。
【００５３】
また、方向計測部１４０を電子コンパスとしたことで、容易に方向計測を行うことが可能である。
【００５４】
（第２の実施形態）
上記第１の実施形態において、筐体１１０の手前の面をゴルファーの胸部に付けると、筐体１１０を動かさずに支持することが容易であることについて説明した。本実施形態のでは、この点をさらに改善するための構成について説明する。図７は、第２の実施形態にかかるゴルフ用機器２００を概略的に示す図である。
【００５５】
ゴルフ用機器２００は、図７に示したように、丸型形状の筺体２１０に、腕に着脱するための着脱部２８０を設けたことを特徴とする。このように、着脱部２８０を設けることで、ゴルフ用機器２００を腕に着脱することができ、スタンスチェック動作の際に、ゴルフ用機器２００をゴルファーの胸部に当てて目標方向を設定しやすい。
【００５６】
図７に示した記憶指示部２３０、表示部２６０及び水準マークＬは、上記第１の実施形態の記憶指示部１３０、表示部１６０及び水準マークＬと実質的に同じものである。なお、図示していないが、筺体２１０の内部には、上記第１の実施形態の水準器１２０、方向計測部１４０、方向記憶部１５０、制御処理部１７０と実質的に同様の構成を備える。
【００５７】
（筺体２１０）
筺体２１０は、図７に示した一例では、丸型形状をしているが、形状は任意である。また、本実施形態では、筺体２１０に目標方向マークＴが表示がない。ゴルフ用機器２００をゴルファーの胸部に当てて目標方向（筺体２１０を時計に見立てたときの１２時方向）を向くことで、目標方向を設定しやすいため、目標方向マークＴを表示する必要がない。ただし、第１の実施形態のように、目標方向マークＴを表示してもよいことは言うまでもない。
【００５８】
（着脱部２８０）
着脱部２８０は、筐体２１０を腕に着脱するための機能を有するものである。着脱部２８０は、腕時計やリストバンドに用いられる汎用的なものを用いることができ、例えば金属やプラスチックのチェーン状のものでもよく、面テープやラバーバンドのようなものであってもよい。
【００５９】
（スタンスチェック動作）
コンパス較正やスタンスチェック動作については、上記第１の実施形態とほぼ同様に行うことができる。ゴルフ用機器２００が腕に着用されていることから、目標方向Ｄ１を設定する際や、体の方向を変える際に、筐体２１０の手前の面をゴルファーの胸部に付けて、筐体２１０を動かさずに支持することが容易である。
【００６０】
（第２の実施形態の効果）
以上説明したように、本実施形態によれば、ゴルフ用機器２００を腕に着けることができるので、プレー中に装置を取り出す手間を省くことができるとともに、操作も簡便になる。また、ゴルフ用機器２００を胸部に当てることが容易で、ゴルフ用機器２００を水平に保ちやすい。
【００６１】
なお、本実施形態のゴルフ用機器２００は、単にゴルファーの所持品の一つである時計に、ゴルフに有用な機能を付加したものと解釈すべきではない。本実施形態の機能を実現するためには、腕にはめる形態が最適である。したがって、ゴルフ用機器２００は腕時計型ではあるものの、時計の機能がなくてもよい。また、ゴルフ用機器２００を腕時計と併用することもできる。この際、ゴルフ用機器２００を、腕時計と同じ腕に着けてもよく、腕時計と反対の腕に着けてもよい。ゴルフ用機器２００を腕時計と同じ側に着ける際は、手首よりも肘側に着用するようにしてもよい。
【００６２】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００６３】
例えば、上記実施形態では、すべて電子的な処理を行うものとして説明したが、いくつかの機能をアナログ的に処理してもよい。例えば、上記実施形態では、水準器１２０を電子水準器で構成し、水準マークＬを表示部１６０に表示するようにしたが、本発明はこれに限定されない。例えば、三脚に備えられる水準器のように、円形のガラス容器の中にアルコールまたはエーテルなどの液体を入れ、表面に気泡を残し、その気泡の位置を見ることによって水平や傾斜が分かるような構成にしてもよい。この場合、水準器１２０は、制御処理部１７０により制御される必要はない。
【００６４】
また、上記実施形態では、水準器１２０を設けて水準マークＬを表示する構成について説明したが、本発明はこれに限定されない。水準器１２０を設けず水準マークＬの表示はなくても、ゴルファーが感覚的にできるだけ水平にすることで、上記と実質的に同様の効果を実現することが可能である。また、製品のマニュアル等に「できるだけ水平にしてご利用ください。」と記載したり、ゴルフ用機器を胸に当てて水平にすることを図示などしてもよい。
【００６５】
また、上記実施形態では、表示部１６０に、方向記憶部１５０に記憶された目標方向Ｄ１に対して垂直方向であるスタンス方向Ｄ２が表示されるようにした例について説明したが、本発明はこれに限定されない。スタンス方向Ｄ２を表示しなくても、目標方向Ｄ１の表示が左方向（時計の９時方向、西方向）に向けることで、スタンスチェックを行ってもよい。
【００６６】
また、上記実施形態では、表示部１６０の表示方法として、目標方向Ｄ１とスタンス方向Ｄ２との間の部分を、明るさを変えて強調表示する例について説明したが、本発明はこれに限定されない。強調表示の仕方としてさまざまな表示方法が可能である。また、必ずしも強調表示は行わなくてもよい。
【００６７】
また、表示部１６０に、グリーン又はコースに関する情報が表示されるようにしてもよい。さらに、図８に示したように、目標方向Ｄ１の表示に重ねて、グリーン又はコースに関する情報が表示されるようにしてもよい。目標方向のグリーンが障害物で隠れて見えない場合など、目標の設定がしづらい場合がある。そのようなときに、表示部にグリーンやコースに関する情報を表示させることで、目標方向Ｄ１の設定が容易になる。
【産業上の利用可能性】
【００６８】
本発明は、ゴルフに有用な機能を備えたゴルフ用機器に利用可能である。
【符号の説明】
【００６９】
１００  ゴルフ用機器（第１の実施形態）
１１０  筐体
１２０  水準器
１３０  記憶指示部
１４０  方向計測部
１５０  方向記憶部
１６０  表示部
１７０  制御処理部
２００  ゴルフ用機器（第２の実施形態）
２１０  筺体
２３０  記憶指示部
２６０  表示部
２８０  着脱部
Ｔ      目標方向マーク
Ｌ      水準マーク
Ｄ１    目標方向
Ｄ２    スタンス方向
【図１】
2017038667.tif 000003
【図２】
2017038667.tif 000004
【図３】
2017038667.tif 000005
【図４】
2017038667.tif 000006
【図５】
2017038667.tif 000007
【図６】
2017038667.tif 000008
【図７】
2017038667.tif 000009
【図８】
2017038667.tif 000010